(57)【要約】【課題】配線作業が容易な携帯機器及び接続ケーブルを提供することを課題とする。【解決手段】本実施例の携帯電話機は、相対移動可能に連結された筺体１、２と、筺体１、２を接続する接続ケーブル８とを備え、接続ケーブル８は、並列に並んだ分岐ケーブル８ａ〜８ｃを含み、分岐ケーブル８ａ、８ｃは、同一色であり、分岐ケーブル８ｂは、分岐ケーブル８ａ、８ｃとは異なる色であり、分岐ケーブル８ａ、８ｃには、目視により識別するための識別部８３ａ、８３ｃがそれぞれ設けられている。【選択図】図４
2011188388.tif 000002
【特許請求の範囲】
【請求項１】
相対移動可能に連結された第１及び第２筺体と、
前記第１及び第２筺体を接続する接続ケーブルとを備え、
前記接続ケーブルは、並列に並んだ第１、第２、及び第３分岐ケーブルを含み、
前記第１及び第３分岐ケーブルは、同一色であり、
前記第２分岐ケーブルは、前記第１及び第３分岐ケーブルとは異なる色であり、
前記第１及び第３分岐ケーブルの少なくとも一方には、該第１及び第３分岐ケーブルを目視により識別するための識別部が設けられている、携帯機器。
【請求項２】
前記第１及び第２筺体の何れか一方には、前記接続ケーブルが通過する孔を有し、
前記識別部は、前記孔から退避している、請求項１の携帯機器。
【請求項３】
前記識別部は、前記孔を挟むように設けられた第１及び第２識別部を含み、
前記第１及び第２識別部の一方は、分離した状態の前記第１及び第２筺体の一方側にのみ前記接続ケーブルを接続した際に前記第１及び第２筺体の一方側から露出している、請求項２の携帯機器。
【請求項４】
前記第１分岐ケーブルは、ケーブル、前記ケーブルに螺旋状に巻き回された外装部、を含み
前記識別部は、前記外装部の端部と前記外装部の端部から露出した前記ケーブルとの境界を覆う、請求項１乃至３の何れかの携帯機器。
【請求項５】
第１分岐ケーブルと、
前記第１分岐ケーブルに並列に並んだ第２及び第３分岐ケーブルとを備え、
前記第１及び第３分岐ケーブルは、同一色であり、
前記第２分岐ケーブルは、前記第１及び第３分岐ケーブルとは異なる色であり、
前記第１及び第３分岐ケーブルの少なくとも一方には、該第１及び第３分岐ケーブルを目視により識別するための識別部が設けられている、接続ケーブル。
【発明の詳細な説明】
【技術分野】
【０００１】
本発明は、携帯機器及び接続ケーブルに関する。
【背景技術】
【０００２】
相対移動可能に連結された第１及び第２筺体を備えた携帯機器がある。このような携帯機器の第１及び第２筺体は接続ケーブルで接続される。特許文献１には、相対移動可能に連結された第１及び第２筺体を備えた携帯機器に関する技術が開示されている。特許文献２、３には、接続ケーブルに関する技術が開示されている。
【先行技術文献】
【特許文献】
【０００３】
【特許文献１】特開２０１０−０４１３０４号公報
【特許文献２】特開２００３−０６１９５４号公報
【特許文献３】特開平７−３３５０４２号公報
【発明の概要】
【発明が解決しようとする課題】
【０００４】
接続ケーブルを並列に並んだ複数の分岐ケーブルに分岐させることが考えられる。これにより、複数の分岐ケーブルが並んだ方向に直交する方向での接続ケーブル全体の厚みを減らすことができる。これにより、第１及び第２筺体内の狭いスペース内においても接続ケーブルを配線することができる。このような複数の分岐ケーブルを含む接続ケーブルを携帯機器に配線する場合、接続ケーブルが捻れて分岐ケーブルの並び順が途中で入れ替わった状態で配線される恐れがある。このような状態で配線されると、一部の分岐ケーブルに張力がかかる恐れがある。例えば第１及び第２筺体が相対移動した場合に、一部の分岐ケーブルに張力がかかって断線する恐れがある。従って、配線作業の際には分岐ケーブルの並び順が入れ変わらないように注意を要する。しかしながら、これら複数の分岐ケーブルのそれぞれを識別が困難であると配線作業が困難になる恐れがある。
【０００５】
本発明は、配線作業が容易な携帯機器及び接続ケーブルを提供することを目的とする。
【課題を解決するための手段】
【０００６】
本明細書に開示の携帯機器は、相対移動可能に連結された第１及び第２筺体と、前記第１及び第２筺体を接続する接続ケーブルとを備え、前記接続ケーブルは、並列に並んだ第１、第２、及び第３分岐ケーブルを含み、前記第１及び第３分岐ケーブルは、同一色であり、前記第２分岐ケーブルは、前記第１及び第３分岐ケーブルとは異なる色であり、前記第１及び第３分岐ケーブルの少なくとも一方には、該第１及び第３分岐ケーブルを目視により識別するための識別部が設けられている。
【０００７】
本明細書に開示の接続ケーブルは、第１分岐ケーブルと、前記第１分岐ケーブルに並列に並んだ第２及び第３分岐ケーブルとを備え、前記第１及び第３分岐ケーブルは、同一色であり、前記第２分岐ケーブルは、前記第１及び第３分岐ケーブルとは異なる色であり、前記第１及び第３分岐ケーブルの少なくとも一方には、該第１及び第３分岐ケーブルを目視により識別するための識別部が設けられている。
【発明の効果】
【０００８】
配線作業が容易な携帯機器及び接続ケーブルを提供できる。
【図面の簡単な説明】
【０００９】
【図１】図１は、本実施例の携帯電話機の説明図である。
【図２】図２は、本実施例の携帯電話機の説明図である。
【図３】図３は、本実施例の携帯電話機の説明図である。
【図４】図４は、接続ケーブルの説明図である。
【図５Ａ】図５Ａは、分岐ケーブルの断面図である。
【図５Ｂ】図５Ｂは、ケーブルの断面図である。
【図６】図６は、第１変形例の接続ケーブルの説明図である。
【図７】図７は、第２変形例の接続ケーブルの説明図である。
【発明を実施するための形態】
【００１０】
携帯機器として携帯電話機を一例に説明する。
図１〜３は、本実施例の携帯電話機の説明図である。図１は、携帯電話機が閉じた状態、図２は、携帯電話機が開いた状態、図３は、筐体２が回転した状態を示している。携帯電話機は、筐体１、筐体１に開閉可能に連結された支持部３、支持部３に回転可能に連結された筐体２、を含む。図２に示すように、筐体１の前面側には、ユーザが操作指示を筐体１に与えるための操作部１２、ユーザの音声を集音するマイク１４が設けられている。操作部１２は、複数の操作キーを含む。筐体１の操作部１２と対向する筐体２の面には、不図示のディスプレイが設けられている。尚、筐体２は、通話相手の音声を出力するレシーバ２４を備えている。
【００１１】
筐体２と支持部３とは、互いに対向しつつ所定平面内で相対回転可能に連結されている。連結機構４は、筐体２と支持部３とを相対回転可能に連結している。連結機構４は、筐体２と支持部３とに挟まれる。
【００１２】
筐体１と支持部３とは開閉可能に連結されている。詳細には、筐体１の筒部１７と支持部３の筒部９７との内部に不図示のヒンジモジュールが保持されている。ヒンジモジュールは、筐体１、２の開閉をアシストする。
【００１３】
接続ケーブル８は、筐体１と筐体２とを電気的に接続している。接続ケーブル８は、複数のケーブル８８が束ねられたものである。ケーブル８８は、細線同軸ケーブルである。接続ケーブル８は、筒部１７、９７を通過して、筐体２側から筐体１側に引回されている。
【００１４】
筐体１、２内には、それぞれ不図示のプリント基板が内蔵されている。プリント基板は、ポリイミド樹脂、エポキシ樹脂、ガラスエポキシ樹脂等の基材に、配線がパターニングされた硬質のプリント板である。接続ケーブル８の一端にはコネクタＣ１が設けられ、接続ケーブル８の他端にはコネクタＣ２が設けられている。コネクタＣ１は、筐体１内のプリント基板と電気的に接続され、コネクタＣ２は筐体２内のプリント基板と電気的に接続される。
【００１５】
連結機構４は、回転板４０、保持板５０、ばね６０、リング部材７０を含む。回転板４０、保持板５０は薄板状に形成されている。リング部材７０は、リング状に形成されている。回転板４０は、筐体２の背面側に固定される。回転板４０には中央部に孔４２が形成されている。保持板５０は、支持部３の正面側に固定される。保持板５０の中央部には孔５２が形成されている。孔５２は、長孔状に形成されている。
【００１６】
リング部材７０は、孔７２を有している。リング部材７０は、回転板４０と保持板５０とを相対回転可能に連結する。詳細には、リング部材７０は、孔４２、５２に係合している。リング部材７０は、孔４２に摺動回転不能に嵌合し、孔５２に摺動回転可能に嵌合している。従って、回転板４０とリング部材７０とは共に、保持板５０に対して回転可能である。これにより、筐体２と支持部３との相対回転が可能となる。孔５２が所定の方向に延びた長孔状であることにより、支持部３に対して筐体２が回転する際において、回転板４０、リング部材７０は、孔５２の延びた方向への移動が許容される。図１〜図３に示すように、接続ケーブル８は、孔４２、５２、７２内を通過する。
【００１７】
ばね６０は、一端が回転板４０に連結され他端は保持板５０に連結されている。ばね６０は、支持部３に対する筐体２の姿勢を維持する機能を有している。尚、図３においてはばね６０は省略してある。
【００１８】
接続ケーブル８について詳細に説明する。
図４は、接続ケーブル８の説明図である。コネクタＣ１、Ｃ２との間には複数のケーブル８８が接続されている。接続ケーブル８は、並列に並んだ３つの分岐ケーブル８ａ〜８ｃを含む。分岐ケーブル８ａ〜８ｃ内のそれぞれには、複数のケーブル８８が束ねられている。図４には、接続ケーブル８を携帯電話機に配線した際の連結機構４の位置を示している。
【００１９】
複数のケーブル８８は、コネクタＣ１、Ｃ２を接続している。接続ケーブル８のコネクタＣ１側には、外装部８７が設けられており、外装部８７は、全てのケーブル８８を一本に束ねている。外装部８７とコネクタＣ１との間で複数のケーブル８８は露出している。接続ケーブル８の中央部には、接続ケーブル８を分岐ケーブル８ａ〜８ｃに分岐させた外装部８１ａ〜８１ｃが設けられている。
【００２０】
外装部８１ａ〜８１ｃはそれぞれ複数のケーブル８８を部分的に覆っている。外装部８１ａ〜８１ｃのそれぞれは、フッ素系樹脂製のテープが複数のケーブル８８の周りに螺旋状に巻かれたものである。尚、外装部８１ａ〜８１ｃの少なくとも一つが単一のケーブル８８に巻き回されていてもよい。外装部８１ａ〜８１ｃは、例えばフッ素樹脂製であるがこれに限定されない。外装部８７と外装部８１ａ〜８１ｃとの間には、テープ８６が貼り付けられている。
【００２１】
テープ８６は、外装部８７の端部の外周と外装部８１ａ〜８１ｃの端部の外周とに貼り付けられている。テープ８６は、外装部８１ａ〜８１ｃが解けることを防止している。テープ８６は、例えばフッ素樹脂製であるがこれに限定されない。テープ８６は茶色であるがそれ以外の色であってもよい。
【００２２】
図５Ａは、分岐ケーブル８ａ〜８ｃの断面図である。図５Ｂは、ケーブル８８の断面図である。ケーブル８８は、ジャケット８８１、外部導体８８３、誘電体８８５、内部導体８８７を含む。ジャケット８８１、誘電体８８５はフッ素樹脂製である。外部導体８８３、内部導体８８７は、例えば銅線である。誘電体８８５は、複数の内部導体８８７を誘電体８８５が覆っている。複数の外部導体８８３は、誘電体８８５を覆っている。ジャケット８８１は、複数の外部導体８８３の外周を覆っている。尚、ケーブル８８の構造は必ずしもこのような構造でなくてもよい。
【００２３】
図４に示すように、外装部８１ａ、８１ｃは同一色であり、外装部８１ｂは、外装部８１ａ、８１ｃとは異なる色である。外装部８１ａ、８１ｃは白色であり、外装部８１ｂは黒色である。尚、外装部８１ａ〜８１ｃの色の組み合わせは、これ以外でもよい。また、外装部８１ａ、８１ｃは白以外でもよく、外装部８１ｂは黒以外でもよい。
【００２４】
外装部８１ａ〜８１ｃの途中部分のそれぞれには、識別テープ８３ａ〜８３ｃが貼り付けられている。識別テープ８３ａ〜８３ｃは隣接している。識別テープ８３ａ〜８３ｃは、それぞれ外装部８１ａ〜８１ｃの外周に貼り付けられている。コネクタＣ２側の外装部８１ａ〜８１ｃの端部のそれぞれには識別テープ８４ａ〜８４ｃが貼り付けられている。識別テープ８４ａ〜８４ｃは隣接している。識別テープ８３ａ〜８３ｃと、識別テープ８４ａ〜８４ｃとは、連結機構４を挟む位置に設けられている。
【００２５】
識別テープ８４ａは、外装部８１ａの端部と外装部８１ａの端部から露出する複数のケーブル８８との境界を覆っている。これにより、識別テープ８４ａは、複数のケーブル８８に螺旋状に巻き回された外装部８１ａが解けることを防止している。識別テープ８４ｂ、８４ｃも同様である。
【００２６】
識別テープ８３ａ、８４ａ、８３ｂ、８４ｂは青色であり、識別テープ８３ｃ、８４ｃは茶色である。即ち、外装部８１ａに貼り付けられた識別テープ８３ａ、８４ａは、青色で同一色である。同様に、外装部８１ｂに貼り付けられた識別テープ８３ｂ、８４ｂも青色で同一色である。外装部８１ｃに貼り付けられた識別テープ８３ｃ、８４ｃは茶色で同一色である。このように、一つの分岐ケーブルに貼り付けられた複数の識別テープは、同一色である。尚、識別テープ８３ａ、８４ａ、８３ｂ、８４ｂは同一色であれば青色以外でもよい。識別テープ８３ｃ、８４ｃは、同一色であって、識別テープ８３ａ等と異なる色であれば茶色以外でもよい。
【００２７】
以上のように、３つの分岐ケーブル８ａ〜８ｃの２本は同一色であり、残り１本は異なる色である。同一色である分岐ケーブル８ａの外装部８１ａ、分岐ケーブル８ｃの外装部８１ｃに、それぞれ異なる色の識別テープ８３ａ、８３ｃが貼り付けられている。これにより、同一色である分岐ケーブル８ａ、８ｃを識別することが可能となる。このように、同一色の２本の少なくとも一方に両者を識別するための識別部を設けることにより、３本の分岐ケーブルに使用される色を２色に抑えつつ３本の分岐ケーブルをそれぞれ識別できる。分岐ケーブル８ａ〜８ｃをそれぞれ識別できるので、接続ケーブル８の配線作業の際に、分岐ケーブル８ａ〜８ｃの並び順が入れ替わることを防止できる。これにより、ケーブル８８の断線を防止できる。
【００２８】
３本の分岐ケーブル８ａ〜８ｃに使用される色の数を２色に抑えることにより、製造コストを抑制できる。３本の分岐ケーブル８ａ〜８ｃに使用される外装部８１ａ〜８１ｃの色をそれぞれ異ならせると、３色分の外装部を用意する必要があり、製造コストが増大するからである。
【００２９】
同一色である外装部８１ａ、８１ｃのそれぞれに互いに色が異なる識別テープが貼り付けられているので、一方の識別テープが剥がれた場合であっても、外装部８１ａ、８１ｃの識別が可能となる。尚、同一色である外装部８１ａ、８１ｃの少なくとも一方に識別テープを貼っておき、他方には貼っていなくてもよい。
【００３０】
分岐ケーブル８ａ〜８ｃは、交互に異なる色となる順に配置されている。これにより、配線作業中に分岐ケーブル８ａ〜８ｃの順番が入れ替わったことを容易に把握することができる。
【００３１】
図４に示すように、識別テープ８３ａ〜８３ｃ、８４ａ〜８４ｃは、孔４２、５２、７２から退避している。これにより、識別テープ８３ａ等を要因として接続ケーブル８全体の太さが大きくなり接続ケーブル８が孔に干渉しやすくなることを防止している。
【００３２】
接続ケーブル８の配線作業の手順を説明する。
最初に、支持部３から分離した状態の筐体２のプリント基板にコネクタＣ２を接続する。次に、筐体２から分離した状態の４の孔４２、５２、７２に接続ケーブル８を通す。次に、回転板４０を筐体２の背面側に固定する。次に、接続ケーブル８のコネクタＣ１側を、支持部３の筒部９７、筐体１の筒部１７内に挿入して、保持板５０を支持部３の正面側に固定し、コネクタＣ１を筐体１のプリント基板に接続する。
【００３３】
この場合、コネクタＣ２を筐体２のプリント基板に接続して孔４２、５２、７２内に接続ケーブル８を通した段階で、コネクタＣ２側に貼り付けられた識別テープ８４ａ〜８４ｃは筐体２により視認できない恐れがある。しかしながら、コネクタＣ１側に貼り付けられた識別テープ８３ａ〜８３ｃは、孔４２、５２、７２から退避しており、筐体２から露出している。従って、接続ケーブル８の配線作業の途中で識別テープ８４ａ〜８４ｃが視認できない状況となっても、識別テープ８３ａ〜８３ｃが視認可能となる。これにより、分岐ケーブル８ａ〜８ｃの並び順を把握することができる。これにより、分岐ケーブル８ａ〜８ｃの並び順が入れ替わったまま配線されることが防止される。
【００３４】
接続ケーブルの変形例について説明する。
図６は、第１変形例の接続ケーブル８Ａの説明図である。接続ケーブル８Ａは、４つに分岐された分岐ケーブル８ａ〜８ｄを有している。分岐ケーブル８ｄの外装部８１ｄは、黒色である。外装部８１ｄに貼り付けられた識別テープ８３ｄ、８４ｄは、茶色である。従って、外装部８１ｄは、外装部８１ｂと同一色であり、外装部８１ｄに貼り付けられた識別テープ８３ｄ、８４ｄは、外装部８１ｂに貼り付けられた識別テープ８３ｂ、８４ｂとは異なる色である。このため、分岐ケーブル８ｂ、８ｄの混同が防止される。
【００３５】
このように分岐ケーブルが４本の場合であっても、４本の分岐ケーブルに使用される色を２色に抑えつつ、４本の分岐ケーブルをそれぞれ識別できる。これにより、製造コストを抑制しつつ、接続ケーブル８Ａの配線作業の際に分岐ケーブル８ａ〜８ｄの並び順が入れ替わることが防止できる。尚、分岐ケーブル８ｄは、分岐ケーブル８ｂと同一色でなくてもよく、例えば分岐ケーブル８ａ〜８ｃとは異なる色であってもよい。分岐ケーブル８ａ〜８ｄは、交互に異なる色となる順に配置されているので、配線作業中における分岐ケーブル８ａ〜８ｄの並び順が入れ替わった場合でも容易に把握できる。
【００３６】
図７は、第２変形例の接続ケーブル８Ｂの説明図である。接続ケーブル８Ｂは、５つに分岐された分岐ケーブル８ａ〜８ｅを有している。分岐ケーブル８ｅの外装部８１ｅは、白色である。外装部８１ｅに貼り付けられた識別テープ８３ｅ、８４ｅは、緑色である。従って、外装部８１ａ、８１ｃ、８１ｅは同一色である。外装部８１ａに貼り付けられた識別テープ８３ａ、８４ａと、外装部８１ｃに貼り付けられた識別テープ８３ｃ、８４ｃと、外装部８１ｅに貼り付けられた識別テープ８３ｅ、８４ｅとは、互いに異なる色である。
【００３７】
このように、分岐ケーブルが５本の場合であっても、５本の分岐ケーブルに使用される色を２色に抑えつつ、５本の分岐ケーブルをそれぞれ識別できる。これにより、製造コストを抑制しつつ、接続ケーブル８Ｂの配線作業の際に分岐ケーブル８ａ〜８ｅの並び順が入れ替わることが防止できる。尚、分岐ケーブル８ｅは、分岐ケーブル８ａ、８ｃと同一色でなくてもよく、例えば分岐ケーブル８ａ〜８ｄとは異なる色であってもよい。
【００３８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３９】
本実施例においては、携帯機器の一例として携帯電話機について説明したがこれに限定されない。携帯機器としては、例えば、電子手帳、電子辞書、ＰＤＡ（Ｐｅｒｓｏｎａｌ Ｄｉｇｉｔａｌ Ａｓｓｉｓｔａｎｔｓ）、電卓、ＧＰＳ（Ｇｌｏｂａｌ Ｐｏｓｉｔｉｏｎｉｎｇ Ｓｙｓｔｅｍ：全地球位置情報システム）、ノート型コンピュータ、携帯ゲーム機、カメラ等であってもよい。
【００４０】
上記実施例において、筐体１、２は、開閉可能に連結されており、筐体２は開状態で所定の平面内を回転可能であることを説明した。しかしながら、携帯機器はこのような構造に限定されない。例えば、２つの筐体が開閉のみするものであってもよいし、スライドのみするものであってもよいし、２つの筐体が互いに対向しつつ相対回転するものであってもよい。
【００４１】
上記実施例において、識別部は識別テープであるが、これに限定されない。例えば、識別部は、外装部に部分的に着色された部分であってもよい。
【符号の説明】
【００４２】
１、２  筐体
３  支持部
４  連結機構
４０  回転板
４２、５２、７２  孔
５０  保持板
６０  ばね
７０  リング部材
８  接続ケーブル
８ａ〜８ｅ  分岐ケーブル
８１ａ〜８１ｅ  外装部
８３ａ〜８３ｅ、８４ａ〜８４ｅ  識別テープ
８８  ケーブル
Ｃ１、Ｃ２  コネクタ
【図１】
2011188388.tif 000003
【図２】
2011188388.tif 000004
【図３】
2011188388.tif 000005
【図４】
2011188388.tif 000006
【図５Ａ】
2011188388.tif 000007
【図５Ｂ】
2011188388.tif 000008
【図６】
2011188388.tif 000009
【図７】
2011188388.tif 000010